(57)【要約】【課題】抵抗膜方式のタッチパッドを水中で用いる場合において、ユーザによる押圧範囲を正確に認識する。【解決手段】電子機器は、抵抗膜方式のタッチパッドを有する電子機器であって、タッチパッドは、空気層を介在させて対向する複数の電導膜を有し、空気層を密閉する密閉構造と、密閉構造に設けられ、空気層を外部環境から隔離する隔離部と、を備え、電子機器が水中にある場合に、隔離部により密閉構造内の空気が圧縮され、空気層による空気圧が調整される。【選択図】図３
2015138434.tif 000002
【特許請求の範囲】
【請求項１】
抵抗膜方式のタッチパッドを有する電子機器であって、
前記タッチパッドは、空気層を介在させて対向する複数の電導膜を有し、
前記空気層を密閉する密閉構造と、
前記密閉構造に設けられ、前記空気層を前記外部環境から隔離する隔離部と、
を備え、
前記電子機器が水中にある場合に、前記隔離部により前記密閉構造内の空気が圧縮され、前記空気層による空気圧が調整されることを特徴とする電子機器。
【請求項２】
請求項１に記載の電子機器において、
前記電子機器が水中から大気中に位置を変更した場合、前記密閉構造内の空気が膨張し、前記空気層による空気圧が調整されることを特徴とする電子機器。
【請求項３】
請求項１または２に記載の電子機器において、
前記電子機器が空気中に位置する場合、前記第１の空気層による空気圧は大気圧に略一致し、
前記電子機器が水中に位置する場合、前記第１の空気層による空気圧は水深に応じた水圧に略一致することを特徴とする電子機器。
【請求項４】
請求項１から３の何れか一項に記載の電子機器において、
前記隔離部は、水圧に応じて変形する弾性膜であることを特徴とする電子機器。
【請求項５】
請求項１から４の何れか一項に記載の電子機器において、
前記空気層は、前記複数の電導膜の間に介在する第１の空気層と、前記第１の空気層に連接する第２の空気層とを有し、
前記第２の空気層の容積は、前記第１の空気層の容積よりも大きく、
前記電子機器が水中にある場合に、前記隔離部により前記第１の空気層と前記第２の空気層の空気が圧縮されることを特徴とする電子機器。
【発明の詳細な説明】
【技術分野】
【０００１】
本発明は、電子機器に関する。
【背景技術】
【０００２】
水中で操作されたときは、タッチパネルにより検出された押圧範囲のうち、水圧による撓みに伴う押圧範囲を無効にする補正を行い、ユーザによる押圧範囲を正確に認識する抵抗膜式のタッチパネル装置が知られている（特許文献１）。
【先行技術文献】
【特許文献】
【０００３】
【特許文献１】特開２０１３−４５３９８号公報
【発明の概要】
【発明が解決しようとする課題】
【０００４】
しかし、水圧による撓みを正確に判断することは難しく、水圧により撓みが発生するタッチパッド（タッチパネルを含む）では、ユーザによる押圧範囲を正確に認識できないことがある。
【課題を解決するための手段】
【０００５】
本発明による電子機器は、抵抗膜方式のタッチパッドを有する電子機器であって、タッチパッドは、空気層を介在させて対向する複数の電導膜を有し、空気層を密閉する密閉構造と、密閉構造に設けられ、空気層を外部環境から隔離する隔離部と、を備え、電子機器が水中にある場合に、隔離部により密閉構造内の空気が圧縮され、空気層による空気圧が調整されることを特徴とする。
【発明の効果】
【０００６】
透過電導膜間の空気圧を調整して水圧による撓みを抑制することで、ユーザによる押圧範囲を正確に認識することができる。
【図面の簡単な説明】
【０００７】
【図１】（ａ）本発明の一実施の形態による電子機器であるデジタルカメラの背面図である。（ｂ）本発明の一実施の形態による電子機器であるデジタルカメラの側面図である。
【図２】本発明の一実施の形態による電子機器であるデジタルカメラが大気中に位置する場合における図１のＩＩ−ＩＩ断面を模式的に表した概略断面図である。
【図３】本発明の一実施の形態による電子機器であるデジタルカメラが水中に位置する場合における図１のＩＩ−ＩＩ断面を模式的に表した概略断面図である。
【図４】隔離部の変形例を示す概略断面図である。
【発明を実施するための形態】
【０００８】
本発明をデジタルカメラに適用した場合について図を用いて説明する。図１（ａ）は、本発明の一実施の形態による電子機器であるデジタルカメラの背面図である。図１（ａ）に示すデジタルカメラ１は、防水カメラであって、背面に抵抗膜方式のタッチパネル１０を備える。
【０００９】
図１（ｂ）は、デジタルカメラ１を図１（ａ）の左側から見た側面図である。デジタルカメラ１は、前面に撮影光学系１１を有し、側面に開口部１２を複数有する。開口部１２は、デジタルカメラ１の外カバー１３を貫通している。
【００１０】
図２は、図１のＩＩ−ＩＩ断面を模式的に表した概略断面図である。図２には、保護カバー２０と第１透明電導膜２１と第２透明電導膜２２と表示部２３とを有する抵抗膜方式のタッチパネル１０と、開口部１２と、第１空気層３０と、第２空気層３１と、金属ケース４０と、隔離部４１とが図示されている。
【００１１】
金属ケース４０には表示部２３が取り付けられている。第２透明電導膜２２は表示部２３の表示面に設けられており、第１透明電導膜２１は保護カバー２０に設けられている。第１透明電導膜２１と第２透明電導膜２２は、第１空気層３０を介在させて互いに対向している。
【００１２】
保護カバー２０は、透明で可撓性を有する樹脂材料、たとえばＰＥＴ（Ｐｏｌｙｅｔｈｙｌｅｎｅ  Ｔｅｒｅｐｈｔｈａｌａｔｅ）などで形成される。保護カバー２０が押圧されると、保護カバー２０が第１透明電導膜２１と共に撓む。
【００１３】
第１透明電導膜２１と第２透明電導膜２２は、ＩＴＯ（酸化インジウム・スズ）、酸化亜鉛などで形成され、可視光を透過し、均一な導電性を有する。保護カバー２０を介して印加された圧力に応じて第１透明電導膜２１が撓み、第２透明電導膜２２に接触すると、不図示の電圧検知部により接触位置（押圧位置）に応じた電圧が検知される。
【００１４】
表示部２３は、液晶表示素子や有機ＥＬ（Ｅｌｅｃｔｒｏ Ｌｕｍｉｎｅｓｃｅｎｃｅ）表示素子などが用いられ、デジタルカメラ１の操作画面、メニュー画面、ライブビュー画像などが表示される。ユーザは、表示部２３の表示画面を保護カバー２０越しに見ることができる。
【００１５】
タッチパネル１０の脇には、第１空気層３０に連通する第２空気層３１を有する。第１空気層３０と第２空気層３１とは、外カバー１３と、金属ケース４０と、隔離部４１とにより密閉されている。
【００１６】
隔離部４１は、ゴムなどの弾性部材で形成され、周縁部４１ａが外カバー１３と金属ケース４０に固着している。隔離部４１は、第２空気層３１と、開口部１２との間に設けられ、第２空気層３１を外部環境、たとえば開口部１２を通過してデジタルカメラ１の内部に入った水や空気から隔離する。また、隔離部４１は、開口部１２を通過した水や空気の圧力に応じて弾性変形して、第１空気層３０の空気圧が外部環境の圧力、すなわち水圧や大気圧と略一致するように調整する。第２空気層３１の容積は、第１空気層３０の容積と比べて十分大きい。隔離部４１は、少ない弾性変形量で、第１空気層３０の空気圧を調整できるよう、圧力が印加される面が十分広い。
【００１７】
デジタルカメラ１が大気中に位置する場合、図２に示すように隔離部４１が弾性変形していない状態で外部環境の空気圧と、第１空気層３０および第２空気層３１の空気圧とが略一致する。第１空気層３０の空気圧と外部環境の空気圧とが略一致しているため、保護カバー２０は、ユーザの押圧量によってのみ撓む。そのため、タッチパネル１０は、正しい押圧位置を検出することができる。
【００１８】
デジタルカメラ１が水中に位置する場合、開口部１２を通過した水が隔離部４１を押圧する。隔離部４１は、デジタルカメラ１が位置する水深に応じた水圧により、図３に示すように弾性変形して、第１空気層３０および第２空気層３１の空気を圧縮する。隔離部４１は、水圧と、第２空気層３１の空気圧とが一致するところで弾性変形が止まる。そのとき、第２空気層３１に連通している第１空気層３０の空気圧と、保護カバー２０を押圧する水圧も略一致する。第１空気層３０の空気圧と外部環境の水圧とが略一致するため、保護カバー２０は、ユーザの押圧量によってのみ撓む。そのため、タッチパネル１０は、正しい押圧位置を検出することができる。デジタルカメラ１が水中から大気中に位置を変更した場合、圧縮されていた第１空気層３０および第２空気層３１の空気が膨張する。それにより、第２空気層３１に連通している第１空気層３０の空気層と、保護カバー２０を押圧する水圧も略一致する。そのため、デジタルカメラ１が水中から大気中に位置を変更した場合においても、タッチパネル１０は、正しい押圧位置を検出することができる。
【００１９】
以上説明した実施の形態によれば、以下の作用効果が得られる。
デジタルカメラ１の抵抗膜方式のタッチパネル１０は、第１空気層３０を介在させて互いに対向する第１透明電導膜２１と第２透明電導膜２２とを有し、第１空気層３０に連通する第２空気層３１と、第１空気層３０と第２空気層３１とを密閉する密閉構造（金属ケース４０、隔離部４１と、外カバー１３）と、密閉構造に設けられ、表面を外部環境に向け、裏面を第２空気層３１に向けて設けられ、第２空気層３１を外部環境から隔離する隔離部４１と、を備える。デジタルカメラ１が水中に位置する場合に、水圧に押された隔離部４１により密閉構造内の空気が圧縮され、第１空気層３０による空気圧が調整される。
したがって、デジタルカメラ１では、水圧による第１透明電導膜２１の撓みを抑制することで、ユーザによる押圧範囲を正確に認識することができる。
【００２０】
以上説明した実施形態は、以下のように変形して実施できる。
（変形例１）上記の実施の形態で説明した第１空気層３０の空気圧の調整方法は、タッチパネル１０から表示部２３を除いた抵抗膜方式のタッチパッドにも適用することができる。なお、タッチパッドに適用する場合、第１透明電導膜２１および第２透明電導膜２２は、可視光を透過しなくてもよい、すなわち透明でなくてもよい。
【００２１】
（変形例２）上記の実施の形態では、隔離部４１は、弾性膜としたが、水深に応じた水圧で第１空気層３０および第２空気層３１の空気を圧縮することができればいかなる構成であってもよい。たとえば、図４に示すように、隔離部４１を金属ケース４０と外カバー１３とに固着させず、第２空気層３１内を矢印Ａ方向に摺動可能に隔離部４１を構成することにしてもよい。このとき、隔離部４１は、第２空気層３１への水の浸入を防ぐため、水圧によって撓まない材料で形成することが好ましい。図４では、デジタルカメラ１が大気中にある場合の隔離部４１の位置が実線で図示されており、デジタルカメラ１が水中にある場合の隔離部４１の位置が破線で図示されている。なお、隔離部４１の周縁部に不図示のＯリング等を設けて第２空気層３１に水等が浸入しないように構成することが好ましい。
【００２２】
（変形例３）上記の実施の形態では、本発明をデジタルカメラに適用する場合について説明したが、抵抗膜方式のタッチパッドまたはタッチパネルを備える電子機器であればデジタルカメラ以外の電子機器にも本発明を適用することができる。
【００２３】
以上説明した実施の形態や変形例はあくまで例示に過ぎず、発明の特徴が損なわれない限り本発明はこれらの内容に限定されない。また、以上で説明した実施の形態や変形例は発明の特徴が損なわれない限り組み合わせて実行してもよい。
【符号の説明】
【００２４】
１  デジタルカメラ
１０  タッチパネル
１２  開口部
１３  外カバー
２０  保護カバー
２１  第１透明電導膜
２２  第２透明電導膜
３０  第１空気層
３１  第２空気層
４０  金属ケース
４１  隔離部
【図１】
2015138434.tif 000003
【図２】
2015138434.tif 000004
【図３】
2015138434.tif 000005
【図４】
2015138434.tif 000006